(57)【要約】  【課題】本発明は、通信信号と電流を同時に伝送することができる伝送装置を提供する。  【解決手段】本発明の伝送装置は、ケーブルとプラグを備える。前記ケーブルは、絶縁保護被膜と、信号線組及び電力線組を備え、前記絶縁保護被膜は、前記信号線組と電力線組を包み、前記電力線組は、別々に絶縁体に覆われる複数の電力線を備え、前記信号線組は、通信信号を伝送するための複数の信号伝送線を備え、これらの信号伝送線は、別々に絶縁体に覆われ、前記信号線組は、金属ジャケットに覆われる。前記プラグは、カバー部材と、ソケットと、前記ソケットの内に長手の方向に沿って配置される複数のピンとを備え、これらのピンは、別々に電力線又は信号伝送線に電気的に接続されており、前記金属ジャケットは、前記カバー部材に電気的に接続される。  【選択図】図１
2007300633.tif 000002
【特許請求の範囲】
【請求項１】
伝送装置であって、
絶縁保護被膜と、信号線組及び電力線組を備え、前記絶縁保護被膜は、前記信号線組と前記電力線組を包み、前記電力線組は、別々に絶縁体に覆われる複数の電力線を備え、前記信号線組は、通信信号を伝送するための複数の信号伝送線を備え、これらの信号伝送線は、別々に絶縁体に覆われ、前記信号線組は、金属ジャケットに覆われるケーブルと、
カバー部材と、ソケットと、前記ソケットの内に長手の方向に沿って配置される複数のピンとを備え、これらのピンは、別々に電力線又は信号伝送線に電気的に接続されており、前記金属ジャケットは、前記カバー部材に電気的に接続されるプラグと、
を備えることを特徴とする伝送装置。
【請求項２】
前記金属ジャケットは、アルミニウム箔から製造することを特徴とする請求項１に記載の伝送装置。
【請求項３】
前記電力線組は、電源の正極に電気的に接続される正極電力線と電源の負極に電気的に接続される負極電力線とを備え、前記負極電力線は、前記プラグのカバー部材に電気的に接続されており、前記正極電力線は、前記プラグの中の少なくとも一つのピンに電気的に接続されることを特徴とする請求項１に記載の伝送装置。
【請求項４】
前記正極電力線と前記負極電力線とは、並行に設けることを特徴とする請求項３に記載の伝送装置。
【請求項５】
前記負極電力線は、網状であって、且つ前記正極電力線を覆っていることを特徴とする請求項３に記載の伝送装置。
【請求項６】
前記正極電力線は、前記複数のピンに電気的に接続されることを特徴とする請求項３に記載の伝送装置。
【請求項７】
前記信号線組は、正極出力線と負極出力線とを備えることを特徴とする請求項１に記載の伝送装置。
【請求項８】
前記正極出力線と前記負極出力線とは、互いにツイストペアを形成することを特徴とする請求項７に記載の伝送装置。
【請求項９】
前記信号線組は、さらに正極入力線と負極入力線とを備えることを特徴とする請求項１に記載の伝送装置。
【請求項１０】
前記正極入力線と前記負極入力線は、互いにツイストペアを形成することを特徴とする請求項９に記載の伝送装置。
【請求項１１】
伝送装置を備える通信製品であって、前記伝送装置は、
絶縁保護被膜と、信号線組及び電力線組を備え、前記絶縁保護被膜は、前記信号線組と電力線組を包み、前記電力線組は、別々に絶縁体に覆われる複数の電力線を備え、前記信号線組は、通信信号を伝送するための複数の信号伝送線を備え、これらの信号伝送線は、別々に絶縁体に覆われ、前記信号線組は、金属ジャケットに覆われるケーブルと、
カバー部材と、ソケットと、前記ソケットの内に長手の方向に沿って配置される複数のピンとを備え、これらのピンは、別々に電力線又は信号伝送線に電気的に接続されており、前記カバー部材は、前記通信製品の中で接地し、前記金属ジャケットは、前記カバー部材に電気的に接続されるプラグと、
を備えることを特徴とする通信製品。
【発明の詳細な説明】
【技術分野】
【０００１】
本発明は、伝送装置に関するものであり、特に電力線と通信線が結合された伝送装置に関するものである。
【背景技術】
【０００２】
今の通信装置は、例えば電力線通信モジュール（ＨｏｍｅＰｌｕｇ）のような通信装置は、家用交流回路を介して、通信製品の間で通信信号を伝播することができる。しかし、通信製品も家用交流回路によって電気エネルギーを供給するため、接続線が多過ぎるという問題をもたらす。
【発明の開示】
【発明が解決しようとする課題】
【０００３】
本発明の第一の目的は、上述した課題を解決し、通信信号及び電流を同時に伝送することができる伝送装置を提供することである。
本発明の第二の目的は、上記課題を解決し、伝送装置を取り付けた通信製品を提供することである。
【課題を解決するための手段】
【０００４】
第一目的を達成するため、本発明に係る伝送装置は、ケーブルとプラグを備える。前記ケーブルは、絶縁保護被膜と、信号線組及び電力線組を備え、前記絶縁保護被膜は、前記信号線組と前記電力線組を包み、前記電力線組は、別々に絶縁体に覆われる複数の電力線を備え、前記信号線組は、通信信号を伝送するための複数の信号伝送線を備え、これらの信号伝送線は、別々に絶縁体に覆われ、前記信号線組は、金属ジャケットに覆われる。前記プラグは、カバー部材と、ソケットと、前記ソケットの内に長手の方向に沿って配置される複数のピンとを備え、これらのピンは、別々に電力線又は信号伝送線に電気的に接続されており、前記金属ジャケットは、前記カバー部材に電気的に接続される。
【０００５】
前記第二目的を達成するため、本発明に係る通信製品は伝送装置を備え、前記伝送装置は、ケーブルとプラグを備える。前記ケーブルは、絶縁保護被膜と、信号線組及び電力線組を備え、前記絶縁保護被膜は、前記信号線組と電力線組を包み、前記電力線組は、別々に絶縁体に覆われる複数の電力線を備え、前記信号線組は、通信信号を伝送するための複数の信号伝送線を備え、これらの信号伝送線は、別々に絶縁体に覆われ、前記信号線組は、金属ジャケットに覆われる。前記プラグは、カバー部材と、ソケットと、前記ソケットの内に長手の方向に沿って配置される複数のピンとを備え、これらのピンは、別々に電力線又は信号伝送線に電気接続されており、前記カバー部材は、前記通信製品の中で接地し、前記金属ジャケットは、前記カバー部材に電気接続される。
【発明の効果】
【０００６】
本発明の伝送装置は、通信信号と電流を同時に伝送することができ、電力線通信モジュールを使う際、接続線が多過ぎるという問題を避ける。
【発明を実施するための最良の形態】
【０００７】
図１は、本発明の伝送装置１００の構造を示す図である。伝送装置１００は、プラグ１０及びケーブル２０を備える。プラグ１０は、カバー部材１２と、ソケット１４及び複数のピン１６を備える。カバー部材１２を巻いて、前記ソケット１４を形成する。複数のピン１６は、長手の方向に沿ってソケット１４の内に配置される。伝送装置１００を使う際、プラグ１０を通信製品（図示せず）の差込口に差し込むことによって、カバー部材１２は、前記差込口の内壁に接続されて接地の作用を生じる。
【０００８】
図１と図２とを参照すると、ケーブル２０は、絶縁保護被膜２８、信号線組２２及び電力線組２６を備える。信号線組２２及び電力線組２６は、絶縁保護被膜２８によって覆われる。信号線組２２は、出力線組２２２及び入力線組２２４を備える。出力線組２２２及び入力線組２２４の内部には、通信信号を伝送するための複数の信号伝送線が配置されている。
【０００９】
出力線組２２２は、絶縁体２７によって覆われた正極出力線２２２２と、絶縁体２７によって覆われた負極出力線２２２４とを備える。正極出力線２２２２と負極出力線２２２４とは、お互いに巻きついてツイストペア（ｔｗｉｓｔｅｄ  ｐａｉｒ）を形成する。正極出力線２２２２と負極出力線２２２４とは、別々に電力線通信モジュール（図示せず）の正極出力端と負極出力端とに電気的に接続されており、前記電力線通信モジュールから通信信号を出力することに用いられる。入力線組２２４は、絶縁体２７によって覆われたた正極入力線２２４２と、絶縁体２７によって覆われた負極入力線２２４４とを備える。正極入力線２２４２と負極入力線２２４４とは、お互いに巻きついてツイストペアを形成する。正極入力線２２４２と負極入力線２２４４とは、別々に電力線通信モジュールの正極入力端と負極入力端とに電気的に接続されており、電力線通信モジュールに通信信号を入力することに用いられる。信号線組２２は、金属ジャケット２９によって覆われる。金属ジャケット２９は、プラグ１０のカバー部材１２に電気的に接続される。本実施形態において、金属ジャケット２９は、アルミニウム箔から製造する。正極入力線２２４２、負極入力線２２４４、正極出力線２２２２、及び負極出力線２２２４は、別々に対応するピン１６に電気的に接続される。
【００１０】
前記電力線組２６は、正極電力線２６２と負極電力線２６４とを備える。正極電力線２６２は、電源の正極に電気的に接続されており、負極電力線２６４は、前記電源の負極に電気的に接続される。正極電力線２６２と負極電力線２６４とは、別々に絶縁体絶縁体２７によって覆われる。本実施形態において、正極電力線２６２と負極電力線２６４とは、並んで設けられている。負極電力線２６２は、プラグ１０のカバー部材１２に電気的に接続される。正極電力線２６４は、プラグ１０の中の複数のピン１６に電気的に接続されており、電流を伝送することに用いられる。
【００１１】
伝送装置１００の使用時、プラグ１０を通信製品の対応する差込口に差し込むと、前記通信製品にから通信信号と電流とを伝送することができる。よって、電力線を使って通信する際の接続線が多過ぎるという問題を防ぐことができる。プラグ１０のカバー部材１２は、差込口の内壁に接続されて、接地の作用を生じさせる。金属ジャケット２９と負極電力線２６４とは、前記カバー部材１２に電気的に接続されるため、全て接地することができる。従って、金属ジャケット２９は、信号線組２２が外界の電磁妨害を受けることを避けることができる。電力通信線１００の中の正極電力線２６２が複数のピン１６に電気接続されるため、単一のピンの中に過大電流が流れ、通信素子を損害する現象を免れることができる。正極入力線２２４２と負極入力線２２４４とが互いに巻きついてツイストペアを形成し、正極出力線２２２２と負極出力線２２２４とが互いに巻きついてツイストペアを形成するため、通信回路の間の妨害を下げる。
【００１２】
図３は、本発明の他の実施形態の伝送装置２００の構造を示す図である。図４と図５を一緒に参照することにより深い理解を得ることができる。図１と図２との同じ部分は、説明を省略する。伝送装置２００は、絶縁体４７、正極電力線４６２及び負極電力線４６４を備える。負極電力線４６４は、網状であって、且つ中空の導線管を形成するように取り囲み、正極電力線４６２は、前記中空導線管の中に収容される。正極電力線４６２と負極電力線４６４との間に絶縁体４７を設ける。絶縁体４７は、正極電力線４６２を覆うように配置される。他の絶縁体４７は、負極電力線４６４と絶縁体４７で覆われた正極電力線４６２とをさらに覆うように配置される。
【図面の簡単な説明】
【００１３】
【図１】本発明の実施形態における伝送装置の構成を示す図である。
【図２】図１において、直線II―IIに沿った断面図である。
【図３】本発明の他の実施形態における伝送装置の構成を示す図である。
【図４】図３において、直線IV―IVに沿った断面図である。
【図５】図３において、円Vの部分拡大図である。
【符号の説明】
【００１４】
１０  プラグ
１２  カバー部材
１４  ソケット
１６  ピン
２０  ケーブル
２２  信号線組
２６  電力線組
２７  絶縁体
２８  絶縁保護被膜
２９  金属ジャケット
４７  絶縁体
１００  伝送装置
２００  伝送装置
２２２  出力線組
２２４  入力線組
２６２  正極電力線
２６４  負極電力線
４６２  正極電力線
４６４  負極電力線
２２２２  正極出力線
２２２４  負極出力線
２２４２  正極入力線
２２４４  負極入力線
【図１】
2007300633.tif 000003
【図２】
2007300633.tif 000004
【図３】
2007300633.tif 000005
【図４】
2007300633.tif 000006
【図５】
2007300633.tif 000007